(57)【特許請求の範囲】
【請求項１】
ボトル本体（３）に上下貫通状の流通孔（１１）を有するボトル口部（４）が上方突設され、このボトル口部（４）を上側から覆うキャップ（７）が具備され、前記ボトル口部（４）は、その上部よりも下側に流通孔（１１）が狭まった狭窄筒部（１３）を有し、上部に狭窄筒部（１３）よりも流通孔（１１）が拡がった注入筒部（１４）を有する詰替用ボトルであって、
前記注入筒部（１４）の外周に、キャップ（７）を着脱可能に係合する係合部が設けられ、
前記狭窄筒部（１３）には、その内周から規制突部（２０）が内方突設され、規制突部（２０）の上面（２０ａ）が内方下がりに傾斜していることを特徴とする詰替用ボトル。
【請求項２】
前記規制突部（２０）の下面（２０ｂ）が内方上がりに傾斜していることを特徴とする請求項１に記載の詰替用ボトル。
【請求項３】
前記流通孔（１１）は、注入筒部（１４）から前記狭窄筒部（１３）に向けて徐々に細くなるように先窄まり状に形成されていることを特徴とする請求項１又は２に記載の詰替用ボトル。
【請求項４】
前記狭窄筒部（１３）は、内方突出した規制突部（２０）を上下に複数段有していることを特徴とする請求項１〜３のいずれか１項に記載の詰替用ボトル。
【請求項５】
前記ボトル本体（３）が扁平に形成されていて倒れや易い方向が存在する場合に、前記規制突部（２０）は少なくとも倒れ易い側に設けられていることを特徴とする請求項１〜４のいずれか１項に記載の詰替用ボトル。
【請求項６】
前記キャップ（７）が注入筒部（１４）に着脱自在に螺合するように、キャップ（７）の内周に雌ねじ（３１）を具備すると共に注入筒部（１４）の外周に前記雌ねじ（３１）が螺合する雄ねじ（１８）を具備しており、前記係合部が雄ねじ（１８）により構成されていることを特徴とする請求項１〜５のいずれか１項に記載の詰替用ボトル。
【請求項７】
前記ボトル口部（４）は、ボトル本体（３）に一体に具備する外筒体（５５）と外筒体（５５）に着脱自在に内嵌装着した内筒体（５６）とで構成され、内筒体（５６）に内方突出した規制突部（２０）が設けられていることを特徴とする請求項１〜６のいずれか１項に記載の詰替用ボトル。
【発明の詳細な説明】
【技術分野】
【０００１】
本発明は、内容液等を詰め替えて使用するようにした詰替用ボトルに関するものである。
【背景技術】
【０００２】
従来の詰替用ボトルには、詰め替え用パウチ等からボトル本体に内容液を注入し易くするために、ボトル口部が上方広がりの漏斗形に形成され、キャップがボトル本体の上部に着脱自在に螺合するように、キャップの内周に雌ねじが形成されると共にボトル本体の上部の外周に前記雌ねじが螺合する雄ねじが形成されて、キャップを着脱可能に係合する係合部がボトル本体の上部の雄ねじにより構成され、キャップを閉め込んだときに、キャップとボトル本体との間でボトル口部を上下に挟持して、漏斗形の注入筒部にキャップの天壁体を強く押圧することにより、キャップの天壁体との密着牲を高めるようにしたものがある（特許文献１）。
【先行技術文献】
【特許文献】
【０００３】
【特許文献１】特開２０１２−２１４２２７号公報
【発明の概要】
【発明が解決しようとする課題】
【０００４】
しかし、上記従来の場合、ボトル本体に対してキャップの着脱を繰り返して行うと、漏斗形の注入筒部はキャップの押圧時の密着変形状態が残存して次第に座屈変形したまま元に戻らなくなったり、キャップの天壁体との接触に伴う磨耗が進行して、内容液が漏洩するようになったり、詰替用ボトルとして本来期待される長期使用に耐えなくなるという問題があった。また、キャップがボトル本体の上部に外嵌係合するため、キャップの上下寸法も長くなり、キャップ全体が必要以上に大きくなってコストアップにも繋がるという問題もあった。一方、詰め替え作業時にうっかりとボトルを転倒させてしまうと、上方広がりのボトル口部から注入済みの内容液の多くが流れ出てしまうという問題があった。
【０００５】
本発明は上記問題点に鑑み、ボトル口部の耐久性を高めて、長寿命化が図られると共に、キャップをコンパクトで安価に製造することができ、不用意なボトルの転倒によっても内容物の流出を防止できるようにした詰替用ボトルを提供することを目的とする。
【課題を解決するための手段】
【０００６】
本発明における課題解決のための具体的手段は、次の通りである。
この技術的課題を解決する本発明の技術的手段は、ボトル本体３に上下貫通状の流通孔１１を有するボトル口部４が上方突設され、このボトル口部４を上側から覆うキャップ７が具備され、前記ボトル口部４は、その上部よりも下側に流通孔１１が狭まった狭窄筒部１３を有し、上部に狭窄筒部１３よりも流通孔１１が拡がった注入筒部１４を有する詰替用ボトルであって、
前記注入筒部１４の外周に、キャップ７を着脱可能に係合する係合部が設けられ、
前記狭窄筒部１３には、その内周から規制突部２０が内方突設され、規制突部２０の上面２０ａが内方下がりに傾斜している点にある。
【０００７】
また、本発明の他の技術的手段は、前記規制突部２０の下面２０ｂが内方上がりに傾斜している点にある。
また、本発明の他の技術的手段は、前記流通孔１１は、注入筒部１４から前記狭窄筒部１３に向けて徐々に細くなるように先窄まり状に形成されている点にある。
【０００８】
また、本発明の他の技術的手段は、前記狭窄筒部１３は、内方突出した規制突部２０を上下に複数段有している点にある。
また、本発明の他の技術的手段は、前記ボトル本体３が扁平に形成されていて倒れや易い方向が存在する場合に、前記規制突部２０は少なくとも倒れ易い側に設けられている点にある。
【０００９】
また、本発明の他の技術的手段は、前記キャップ７が注入筒部１４に着脱自在に螺合するように、キャップ７の内周に雌ねじ３１を具備すると共に注入筒部１４の外周に前記雌ねじ３１が螺合する雄ねじ１８を具備しており、前記係合部が雄ねじ１８により構成されている点にある。
また、本発明の他の技術的手段は、前記ボトル口部４は、ボトル本体３に一体に具備する外筒体５５と外筒体５５に着脱自在に内嵌装着した内筒体５６とで構成され、内筒体５６に内方突出した規制突部２０が設けられている点にある。
【発明の効果】
【００１０】
本発明によれば、注入筒部の外周にキャップを着脱可能に係合する係合部が設けられ、キャップは注入筒部自身に嵌合して係合されるため、注入筒部にキャップが強く押圧して注入筒部の上部を変形させてしまうようなことがなくなり、キャップの着脱を繰り返して行っても、注入筒部の上部が座屈変形したまま元に戻らなくなるのを防ぐことができるし、注入筒部がキャップの天壁体との接触に伴う磨耗が進行するようなことがなくなる。
【００１１】
また、キャップは注入筒部に外嵌して係合するため、従来のようにキャップがボトル本体に係合する場合と異なり、キャップの上下寸法も短く形成することでき、キャップ全体をコンパクトでかつ安価に製造することができる。
さらに、ボトル口部の注入筒部が広口であっても、その下方に狭窄筒部が存在するので、詰め替え時の不用意なボトルの転倒による注入済みの内容物の流出を防止できる。
【図面の簡単な説明】
【００１２】
【図１】本発明の第１実施形態を示す詰替用ボトルの側面断面図である。
【図２】第２実施形態を示すボトル本体の側面断面図である。
【図３】第３実施形態を示すボトル本体の側面断面図である。
【図４】第４実施形態を示すボトル本体の側面断面図である。
【図５】第５実施形態を示すボトル本体の側面断面図である。
【図６】第６実施形態を示すボトル本体の側面断面図である。
【図７】第７実施形態を示すボトル本体の平面図である。
【図８】第８実施形態を示す詰替用ボトルの反欠側面断面図である。
【図９】第９実施形態を示す詰替用ボトルの側面断面図である。
【図１０】第１０実施形態を示すボトル本体の側面断面図である。
【発明を実施するための形態】
【００１３】
以下、本発明の実施の形態を図面に基づいて説明する。
図１は本発明の第１実施形態を示している。図１において、化粧品、薬品等の液体を収納する詰替用ボトル１は、ボトル口部４を有するボトル本体３と、ボトル本体３のボトル口部４に着脱自在に嵌合される中栓５と、ボトル本体３のボトル口部４を上側から覆うキャップ７とを備えている。
【００１４】
ボトル本体３は硬質の合成樹脂により有底筒状に形成され、肩部９を介してボトル口部４がボトル本体３に上方突設されている。
ボトル口部４は硬質の合成樹脂によりボトル本体３と一体に円筒状に形成され、上下貫通状の流通孔１１を有している。ボトル口部４は、その下部に流通孔１１が狭まった狭窄筒部１３を有し、上部に狭窄筒部１３よりも流通孔１１が拡がった注入筒部１４を有している。
【００１５】
ボトル口部４は、肩部９から真っ直ぐ上方に円筒状に起立されていて、その外周面は後述の被嵌合部１５及び狭窄筒部１３を除いて上下全長にわたって同一径になり、内周面は狭窄筒部１３を除いて上下全長にわたって同一径になっている。
注入筒部１４の上部はその外周面が径方向に階段状に凹んでいて小径の被嵌合部１５とされ、被嵌合部１５の外周面の中途部に係止突部１６が環状に突設されている。
【００１６】
注入筒部１４の被嵌合部１５下方の外周面に、キャップ７を螺合させるための雄ねじ１８が形成されており、この雄ねじ１８がキャップ７を着脱可能に係合する係合部とされている。
狭窄筒部１３はその外周面がボトル口部４の他の部分よりもやや大径に形成されていて、その上方側の外周面よりも階段状に径外方向に突出している。狭窄筒部１３には、その内周の全周から規制突部２０が環状に内方突設され、これによりボトル口部４の流通孔１１が狭まって内容液の流通を規制するようになっている。規制突部２０は上下方向の厚みが径方向内方に向かうに従って次第に小さくなっていて、規制突部２０の上面２０ａは内方下がりに傾斜し、下面２０ｂは内方上がりに傾斜し肩部９の下面と連続している。
【００１７】
中栓５はボトル本体３乃至ボトル口部４よりも柔軟で弾性に富む合成樹脂で一体に形成されており、円筒状の筒壁部２２と筒壁部２２の上端開口を塞ぐ天壁部２３と天壁部２３から下方突出した円筒状の内嵌部２４とを有し、天壁部２３の中央部に注出孔２５が設けられ、筒壁部２２の下部内周に係合突部２６が環状に内方突設され、中栓５はその筒壁部２２が注入筒部１４の被嵌合部１５に着脱自在に外嵌され、このとき係合突部２６が係止突部１６に下側から係合されると共に、内嵌部２４が注入筒部１４に内嵌され、筒壁部２２と内嵌部２４とで注入筒部１４の上部を径方向に挟持するようになっている。
【００１８】
キャップ７は合成樹脂製であって、円筒状の筒壁体２９と筒壁体２９の上端開口を塞ぐ天壁体３０とを備え、筒壁体２９の内周面に前記雄ねじ１８に螺合する雌ねじ３１が形成されている。
天壁体３０は円板状に形成され、その中央部下面には中栓５の注出孔２５を塞ぐ円柱状の栓体３３と中栓５の天壁部２３の外周部を下方に押さえ付ける円筒状の押圧筒３４とが一体に形成されている。キャップ７の下部は雄ねじ１８と雌ねじ３１とを介してボトル口部４に着脱自在に螺合され、このときキャップ７の筒壁体２９の上部と天壁体３０とが中栓５を覆い、栓体３３が注出孔２５に内嵌して注出孔２５を塞ぎ、押圧筒３４が天壁部２３の外周部を下方に押さえ付け、内容液がボトル口部４から漏れないようにキャップ７で中栓５を介してボトル口部４を密閉するようになっている。
【００１９】
前記第１実施形態によれば、詰替用の内容液をボトル本体３に詰め替える場合、ボトル口部４からキャップ７を取り外した後、中栓５を注入筒部１４から取り外し、その後、詰め替え用パウチからボトル口部４の注入筒部１４に注入すればよく、内容液はボトル口部４の流通孔１１から狭窄筒部１３の流通孔１１に流れ、ボトル本体３内に流出する。この際に、規制突部２０上に流れた内容液は規制突部２０の上面２０ａの傾斜に沿って下方に流れ、ボトル本体３内にスムーズに収容され、注入筒部１４を使用して、簡単にボトル本体３に詰め替えることができる。また、内容液をボトル本体３に詰め替える際等に、ボトル本体３が転倒しても、ボトル本体３内の内容液がボトル口部４から流出するのを狭窄筒部１３の規制突部２０によって規制することができ、ボトル本体３内の内容液が流出するのを制限することができる。
【００２０】
また、注入筒部１４の外周にキャップ７を螺合する雄ねじ１８が形成されて、キャップ７を着脱可能に係合する係合部が雄ねじ１８により構成されているので、キャップ７を閉め込んでも、キャップ７は注入筒部１４自身に係合されるため、キャップ７とボトル本体３との間でボトル口部４を上下に挟持するようなことがなくなり、キャップ７が中栓５を介して注入筒部１４に強く押圧せずに済み、注入筒部１４乃至中栓５の上部が弾性変形してキャップ７の天壁体３０に密着するようなことがなくなる。このため、ボトル本体３に対してキャップ７の着脱を繰り返して行っても、従来のように注入筒部１４が座屈変形したまま元に戻らなくなるのを防ぐことができるし、注入筒部１４がキャップ７の天壁体３０との接触に伴う磨耗が進行するようなこともなくなる。従って、詰替用ボトル１を長期間使用しても、キャップ７を閉じた状態でも詰替用ボトル１の転倒時などに内容液が漏洩することがなくなり、詰替用ボトル１の寿命が長くなる。
【００２１】
また、キャップ７は注入筒部１４に螺合するため、従来のようにキャップ７がボトル本体３に螺合する場合となり、キャップ７を極力小さくてその上下寸法も短く形成でき、詰替用ボトル１全体をコンパクトでかつ安価に製造することができる。
しかも、ボトル口部４の注入筒部１４にキャップ７を螺合して締め付けた状態では、キャップ７は押圧筒３４を介して中栓５の天壁部２３の外周部を中栓５が注入筒部１４の被嵌合部１５に嵌合する下方向に押圧して、中栓５の注入筒部１４への嵌合を強めると共に、筒壁部２２と内嵌部２４とで注入筒部１４の上部を挟持し、栓体３３が注出孔２５に内嵌して注出孔２５を塞ぐので、ボトル口部４の注入筒部１４を密閉しておくことができ、この点からも詰替用ボトル１の転倒時などに内容液が漏洩することがなくなる。
【００２２】
図２は第２実施形態を示し、ボトル口部４の下部を周方向全周にわたって径方向内方に括れさせて、ボトル口部４の下部に規制突部２０を環状に内方突出させ、これにより、規制突部２０を有する狭窄筒部１３をボトル口部４の下部に形成している。狭窄筒部１３は注入筒部１４よりも小径でかつ注入筒部１４と同一軸心の円筒状に形成され、その部分の流通孔１１は狭まっている。ボトル口部４の注入筒部１４と狭窄筒部１３との間は下方窄まり状に傾斜され、その部分の流通孔１１は、注入筒部１４から狭窄筒部１３に向けて徐々に細くなる先窄まり状に形成されている。狭窄筒部１３の下面１３ｂは肩部９の下面と連続して下方広がりに傾斜している。
【００２３】
図３は第３実施形態を示し、ボトル口部４の外観形状は第１実施形態の場合と同様であるが、ボトル口部４の内周の形状は下方に向けて先窄まり状に傾斜しており、ボトル口部４の流通孔１１は、注入筒部１４の上端から狭窄筒部１３に向けて徐々に細くなる先窄まり状に形成され、これにより、ボトル口部４の上部に注入筒部１４が形成され、下部に環状に内方突出した規制突部２０を有する狭窄筒部１３が形成されている。なお、狭窄筒部１３の下部の内周は狭まって同一径の円筒状になっている。
【００２４】
この第３実施形態では、詰替用の内容液をボトル本体３に詰め替える場合、ボトル口部４の内周面に流れた内容液はその内周面に沿って注入筒部１４から狭窄筒部１３に向けて径内方向に移動しながら下方に流れ、ボトル本体３内にスムーズに収容される。その他の作用効果は前記第１実施形態の場合と同様である。
図４は第４実施形態を示し、ボトル口部４の上下方向の中途部に、その内周面から規制突部２０が環状に内方に突出され、これにより流通孔１１の中途部を細くして狭窄筒部１３をボトル口部４の中途部に形成している。第１実施形態の場合と同様に、規制突部２０の上面２０ａは内方下がりに傾斜し、下面２０ｂは内方上がりに傾斜している。ボトル口部４の狭窄筒部１３よりも下方は注入筒部１４と略同径の円筒状に形成されている。
【００２５】
第４実施形態の場合、規制突部２０が肩部７よりも上方にあるため、ボトル本体３の転倒時、内容液に対してまず肩部９が流出抵抗になり、更に規制突部２０でも流出抵抗になり、より一層内容液の流出を防止できる。また、規制突部２０によってボトル口部４の雄ねじ１８形成部分の厚みが増し、雄ねじ１８の強度を上げることができる。
図５は第５実施形態を示し、ボトル口部４の下部に、くびれを２段に形成して規制突部２０を上下に２段（複数段）に内方突出させている。これにより、２段の規制突部２０を有する狭窄筒部１３をボトル口部４の下部に形成している。第１実施形態の場合と同様に、注入筒部１４と狭窄筒部１３との間はその内面が内方下がりに傾斜し、その部分の流通孔１１は、注入筒部１４から狭窄筒部１３に向けて徐々に細くなる先窄まり状に形成されている。狭窄筒部１３の下面１３ｂは内方上がりに傾斜し、肩部９の下面と連続している。
【００２６】
第５実施形態の場合、ボトル口部４の下部に、くびれを複数段に形成して規制突部２０が上下に複数段あるため、ボトル本体３の転倒時に、規制突部２０が内容液に対して複数段の流出抵抗になり、より一層内容液の流出を防止できる。
図６は第６実施形態を示し、ボトル口部４の下部に、その内周面から規制突部２０を２段に内方突設して、流通孔１１が狭まった狭窄筒部１３をボトル口部４の下部に形成している。この場合、各規制突部２０は、ボトル口部４の内周の周方向の一部に内方突出され、各規制突部２０の突出位置は互いに周方向に異なっている。
【００２７】
第６実施形態の場合、２段の規制突部２０は全周になく断片的で段差があるため、詰め替え時に空気交換することができ、規制突部２０での膜形成現象を防ぎ、内容液のあふれを解消することができる。また、転倒時に規制突部２０が内容液に対して段階的に流出抵抗になり、内容液の流出を防止できる。
図７は第７実施形態を示し、ボトル本体３が扁平に形成されていて矢印ａ方向に倒れ易くなっており、第６実施形態の場合と同様に規制突部２０を内周の周方向の一部に内方突設したものであって、規制突部２０をボトル本体３が倒れ易い側の２箇所に突設するようにしている。
【００２８】
図８は第８実施形態を示し、キャップ７には吐出ポンプ３７が組付けられている。この吐出ポンプ３７は、一般的な押下げポンプであり、シリンダー部３８から立ち上がったステム３９の上部に、側方にノズル筒４０を延出させたノズルヘッド４１が組付けられていると共に、シリンダー部３８から、ボトル本体３の底部まで伸びる吸い上げ筒４２が設けられており、キャップ７の天壁体３０の中央に開設された開孔４３にシリンダー部３８が挿入された状態で、取付けフランジ４４がボトル口部４とキャップ７の天壁体３０との間で締め付け固定されている。
【００２９】
而して、ノズルヘッド４１を押し下げることにより、ボトル本体３内の内容液を吸い上げ筒４２、シリンダー部３８およびステム３９を通してノズルヘッド４１のノズル筒４０から吐出するようになっている。
そして、第１実施形態の場合と同様に、ボトル口部４は、その下部流通孔１１が狭まった狭窄筒部１３を有し、上部に狭窄筒部１３よりも流通孔１１が拡がった注入筒部１４を有している。狭窄筒部１３には、その内周から規制突部２０が環状に内方突設され、規制突部２０は上下方向の厚みが径方向内方に向かうに従って次第に小さくなっていて、上面２０ａは内方下がりに傾斜し、下面２０ｂは内方上がりに傾斜し肩部９の下面と連続している。
【００３０】
図９は第９実施形態を示し、キャップ７は、キャップ本体４７と、キャップ本体４７の上部を覆蓋する蓋体４８とを備え、キャップ本体４７は、ボトル本体３のボトル口部４に装着され、蓋体４８はキャップ本体４７の後端側に開閉用ヒンジ５０を介して連結されており、キャップ本体４７の上部を開閉自在に覆蓋するように構成されている。キャップ本体４７と蓋体４８と開閉用ヒンジ５０とは合成樹脂により一体形成されている。
【００３１】
キャップ本体４７は、外周壁体５２と筒壁体２９と天壁体３０と内筒体５３を一体に備え、天壁体３０に注出孔２５を有する注出筒５１が円筒状に上方突設されている。キャップ本体４７の筒壁体２９の内周に雌ねじ３１が形成され、ボトル口部４の注入筒部１４の外周に雄ねじ１８が形成されており、筒壁体２９はボトル口部４の注入筒部１４に雄ねじ１８及び雌ねじ３１を介して着脱自在に螺合され、これにより、キャップ本体４７（キャップ７）はボトル口部４に着脱自在に装着され、雄ねじ１８がキャップ７を着脱可能に係合する係合部とされている。
【００３２】
蓋体４８は有底円筒状に形成されている。蓋体４８の中央部の下面側に、キャップ本体４７の注出孔２５に対応して栓体３３が突設され、蓋体４８を閉じたときに、栓体３３が注出孔２５に内嵌して注出孔２５を塞ぐように構成され、これによって高い止水作用が得られるようになっている。
開閉用ヒンジ５０は、バネ力によって、蓋体４８が閉鎖状態から所定角度に至るまでは蓋体４８を閉鎖方向へ付勢すると共に、蓋体４８が所定角度に近づくに従ってその閉鎖方向に付勢する力を増大していき、所定角度を超えた時点で付勢方向が逆転して蓋体４８を開放方向へ向かわせるものとなり、最終的には蓋体４８を所定の開き角度に開かせた状態でバネ力を消失して、このときの蓋体４８の開き状態が保持され、キャップ本体４７の注出孔２５から内容液を流出させるときに蓋体４８が邪魔にならない程度（例えば１２０度から１８０度程度）まで開いた状態を保持するように構成されている。
【００３３】
そして、第１実施形態の場合と同様に、ボトル口部４は、その下部に流通孔１１が狭まった狭窄筒部１３を有し、上部に狭窄筒部１３よりも流通孔１１が拡がった注入筒部１４を有している。狭窄筒部１３には、その内周から規制突部２０が環状に内方突設されている。規制突部２０は上下方向の厚みが径方向内方に向かうに従って次第に小さくなっていて、上面２０ａは内方下がりに傾斜し、下面２０ｂは内方上がりに傾斜している。
【００３４】
図１０は第１０実施形態を示し、ボトル口部４は、ボトル本体３に一体に形成した外筒体５５と外筒体５５に着脱自在に内嵌装着した内筒体５６で構成されている。内筒体５６は弾性を有する柔軟な合成樹脂等により一体に形成され、筒状の胴部５８と該胴部５８の上部から径方向に外方突出した係合環部５７とを有し、胴部５８が外筒体５５に内嵌固着され、係合環部５７が外筒体５５に上側から係合して外筒体５５への組み込み時に下降を規制するように構成されている。内筒体５６（胴部５８）の下部に環状に内方突出した規制突部２０が環状に内方突設されており、ボトル口部４は第１実施形態の場合と同様に、その下部流通孔１１が狭まった狭窄筒部１３を有し、上部に狭窄筒部１３よりも流通孔１１が拡がった注入筒部１４を有している。
【００３５】
第１０実施形態の場合、既存の詰替ボトルに対し、内筒体５６のパーツを組み込むだけで、詰め替えし易く、ボトル本体３の転倒時に内容液が流出しにくい新たな詰替ボトル１に簡単に改良することができる。
なお、前記実施形態では、キャップ７が注入筒部１４に着脱自在に螺合するように、キャップ７の内周に雌ねじ３１が形成されると共に注入筒部１４の外周に前記雌ねじ３１が螺合する雄ねじ１８が形成されて、キャップ７を着脱可能に係合する係合部が雄ねじ１８により構成されているが、これに代え、キャップ７が注入筒部１４に着脱自在に外嵌して係合するように、キャップ７の内周に突起状の係止部を内方突設すると共に注入筒部１４の外周に前記係止部に係合する突起状の係合部を外方突設するようにしてもよい。
【００３６】
また、前記第１実施形態〜第６実施形態では、ボトル口部４に着脱自在に嵌合される中栓５を具備しているが、これに代え、中栓５を省略するようにしてもよい。この場合、例えば、キャップ７の天壁体３０にボトル口部４に内嵌する円筒状の内筒体を下方突設しておけば、キャップ７をボトル口部４に装着した際に内筒体でボトル口部４を密閉することも可能になる。
【００３７】
また、前記第１実施形態では、ボトル本体３は硬質の合成樹脂により形成されているが、これに代え、ボトル本体３をガラス瓶や金属その他により形成するようにしてもよい。
また、ボトル本体３に収納される内容物は、液体に限らず粉状体や粒状体その他であってもよい。
また、第２実施形態及び第５実施形態の場合、ボトル口部４の下部の周方向の一部を径方向内方に括れさせて、ボトル口部４の下部に規制突部２０を周方向の一部に内方突出させるようにしてもよい。
【符号の説明】
【００３８】
１      詰替用ボトル
３      ボトル本体
４      ボトル口部
７      キャップ
１１    流通孔
１３    狭窄筒部
１４    注入筒部
１８    雄ねじ
２０    規制突部
３１    雌ねじ
５５    外筒体
５６    内筒体
【要約】
【課題】ボトル口部の耐久性を高めて長寿命化が図られると共に、キャップをコンパクトで安価に製造することができるようにした。
【解決手段】  ボトル本体３に上下貫通状の流通孔１１を有するボトル口部４が上方突設され、このボトル口部４を上側から覆うキャップ７が具備され、前記ボトル口部４は、その上部よりも下側に流通孔１１が狭まった狭窄筒部１３を有し、上部に狭窄筒部１３よりも流通孔１１が拡がった注入筒部１４を有する詰替用ボトルであって、前記注入筒部１４の外周に、キャップ７を着脱可能に係合する係合部が設けられている。また、注入筒部１４の外周にキャップ７が螺合する雄ねじ１８が形成されて、前記係合部が雄ねじ１８により構成されている。
【選択図】図１【図１】
0005918888.tif 000002
【図２】
0005918888.tif 000003
【図３】
0005918888.tif 000004
【図４】
0005918888.tif 000005
【図５】
0005918888.tif 000006
【図６】
0005918888.tif 000007
【図７】
0005918888.tif 000008
【図８】
0005918888.tif 000009
【図９】
0005918888.tif 000010
【図１０】
0005918888.tif 000011